(57)【要約】      （修正有）【課題】簡単な構造でズレのない円筒形状を形成し、かつ、再利用が可能な保護カバーを提供する。【解決手段】保護カバー１は、第１端部１１と第１端部１１に対向する第２端部１２を有する板状素材１０と、板状素材１０が円筒形状となるように第１端部１１と第２端部１２を固定するピン２０と、を備え、第２端部１２は、第１端部１１を受容可能なように形成されたＶ字部を有しており、第１端部１１は、第２端部１２のＶ字部の谷間に当接した状態でピン２０によって第２端部１２に固定される。【選択図】図３
0003216839.tif 000002
【実用新案登録請求の範囲】
【請求項１】
保護カバーであって、
第１端部と前記第１端部に対向する第２端部を有する板状素材と、
前記板状素材が円筒形状となるように前記第１端部と前記第２端部を固定するピンと、を備え、
前記第２端部は、前記第１端部を受容可能なように形成されたＶ字部を有しており、
前記第１端部は、前記第２端部の前記Ｖ字部の谷間に当接した状態で前記ピンによって前記第２端部に固定される、ことを特徴とする保護カバー。
【請求項２】
前記第２端部の前記Ｖ字部は、前記板状素材の周縁を、円筒形状としたときの内面側に向かって外三つ折りすることによって形成される、ことを特徴とする請求項１に記載の保護カバー。
【請求項３】
前記第２端部の前記Ｖ字部は、前記板状素材の周縁近傍に、円筒形状としたときの内面側に向かって突出する突出部を取り付けることによって形成される、ことを特徴とする請求項１に記載の保護カバー。
【請求項４】
前記第２端部の前記Ｖ字部は、前記ピンの脚部が挿通され、前記ピンの頭部によって覆われるように形成されたピン孔を有し、前記第１端部は、前記ピンの前記脚部によって穿刺される、ことを特徴とする請求項１から３のいずれか１項に記載の保護カバー。
【請求項５】
前記第１端部と前記第２端部は、前記ピンによる固定に先立って仮止めされることを特徴とする請求項１から４のいずれか１項に記載の保護カバー。
【考案の詳細な説明】
【技術分野】
【０００１】
本考案は、保護カバー、特に、配管に巻き付けられた保温材又は保冷材を被覆する保護カバーに関する。
【背景技術】
【０００２】
従来、温水や冷水を送給する配管の表面に巻き付けられた保温材又は保冷材の外装仕上げ材として、鉄板、ステンレス板、アルミ板などの金属製や合成樹脂製の保護カバーを用いることはよく知られている。配管及び保温材又は保冷材は一般的に円筒形状であるので、保護カバーも、板状素材として成形されたものを円筒形状に取り付けていくこととなる。
【０００３】
保護カバーは、直線部分や屈曲部分などから構成される配管の状況に応じて、所定の区間に区切りながら被覆されていくが、被覆にあたっては、その一端と他端を真っ直ぐに固定することにより保温材又は保冷材に対して緩みなく取り付けることが求められる。この緩みが生じると、雨水の侵入などにより、保温材又は保冷材の劣化の進行が早まってしまったり、施工後の化粧性（見栄え）が悪くなってしまったりという問題が生じる。保護カバーとしては、施工作業の利便性を確保しつつ、保護カバーを確実に取り付けるため、一端（雄側）を他端（雌側）にワンタッチで嵌合させる技術が開示されている（例えば、特許文献１）。また、そのほかにも、一端と他端を両面テープで貼着させてからピンで固定する保護カバーも市販されている。
【０００４】
しかし、これらの技術では、一度嵌合又は貼着させると、何らかの事情により取り付けをやり直すために外そうとすると、嵌合された部位が破損してしまい、一旦使用した保護カバーを再利用できないという問題があった。さらに、両面テープで貼着させるものについては、施工の現場において、円筒形状がズレて円錐台形状とならないように一端と他端を確実に真っ直ぐに貼着させようとすると時間を要し、施工作業の効率がダウンするという問題があった。
【先行技術文献】
【特許文献】
【０００５】
【特許文献１】特開２０００−２４９２８６号公報
【考案の概要】
【考案が解決しようとする課題】
【０００６】
本考案は、上記のような事情に鑑みなされたものであり、簡単な構造でズレのない円筒形状を形成し、かつ、再利用が可能な保護カバーを提供することを目的とする。
【課題を解決するための手段】
【０００７】
上記した課題を解決するために、本考案は、以下の態様とした。
（１）本考案に係る態様は、保護カバーであって、第１端部と前記第１端部に対向する第２端部を有する板状素材と、前記板状素材が円筒形状となるように前記第１端部と前記第２端部を固定するピンと、を備え、前記第２端部は、前記第１端部を受容可能なように形成されたＶ字部を有しており、前記第１端部は、前記第２端部の前記Ｖ字部の谷間に当接した状態で前記ピンによって前記第２端部に固定される、ことを特徴とする。
【０００８】
（２）上記（１）に記載の構成において、前記第２端部の前記Ｖ字部は、前記板状素材の周縁を、円筒形状としたときの内面側に向かって外三つ折りすることによって形成される。
【０００９】
（３）上記（１）に記載の構成において、前記第２端部の前記Ｖ字部は、前記板状素材の周縁近傍に、円筒形状としたときの内面側に向かって突出する突出部を取り付けることによって形成される。
【００１０】
（４）上記（１）から（３）のいずれか１つに記載の構成において、前記第２端部の前記Ｖ字部は、前記ピンの脚部が挿通され、前記ピンの頭部によって覆われるように形成されたピン孔を有し、前記第１端部は、前記ピンの前記脚部によって穿刺される。
【００１１】
（５）上記（１）から（４）のいずれか１つに記載の構成において、前記第１端部と前記第２端部は、前記ピンによる固定に先立って仮止めされる。
【考案の効果】
【００１２】
本考案によれば、簡単な構造でズレのない円筒形状を形成し、かつ、再利用が可能な保護カバーを提供することができる。
【図面の簡単な説明】
【００１３】
【図１】本考案の実施形態に係る保護カバーを下方からみた斜視図である。
【図２】同じく、保護カバーを下方からみた平面図である。
【図３】同じく、保護カバーを側方からみた側面図である。
【図４】図１の領域Ａを拡大して保護カバーの第２端部のＶ字部を説明する図である。
【図５】図３の領域Ｂを拡大して保護カバーの第２端部のＶ字部を説明する図である。
【図６】保護カバーの両端を当接させる態様を説明する図である。
【図７】図６において、保護カバーを再利用する態様を説明する図である。
【図８】保護カバーを配管の保温材・保冷材の周囲に巻着する状態を説明する図である。
【図９】同じく、保護カバーをピンで固定した状態を説明する図である。
【図１０】図９において、ピンで固定した部分を拡大して説明する図である。
【図１１】図５に対応して、保護カバーの第２端部のＶ字部の変形例を説明する図である。
【図１２】図５に対応して、保護カバーの第２端部のＶ字部の他の変形例を説明する図である。
【図１３】図２に対応して、保護カバーの仮止めの変形例を説明する図である。
【図１４】図２に対応して、保護カバーの仮止めの他の変形例を説明する図である。
【図１５】図２に対応して、保護カバーの仮止めの他の変形例を説明する図である。
【考案を実施するための形態】
【００１４】
以下、添付図面を参照して、本考案を実施するための形態（以下、実施形態）について詳細に説明する。以降の図においては、実施形態の説明の全体を通して同じ要素には同じ番号又は符号を付している。
【００１５】
（実施形態）
保護カバー１は、図１に示すように、第１端部１１と第１端部１１に対向する第２端部１２を有する板状素材１０と、使用時に板状素材１０を円筒形状とするために第１端部１１と第２端部１２を固定するピンと、を備えている。図１は、板状素材１０を下方（円筒形状としたときに内面側となる）から見た斜視図であるが、ここでは、ピン２０の数を７つとした例を図示している。ただし、ピン２０の数に特段の限定はなく、板状素材１０の大きさや、保護カバー１として施工される現場の状況に応じて適宜調整すればよい。
【００１６】
保護カバー１の板状素材１０としては、合成樹脂製のものが作業性、化粧性などの観点から好適に用いられ、また、その厚みは、０．３ｍｍ以上のものが用いられる。
【００１７】
保護カバー１を下方から見た平面図を示すと図２のとおりであるが、第２端部１２には、ピン２０が挿通されるためのピン孔１３が設けられている。他方、第１端部１１には、ピン孔は設けられておらず、第２端部１２と固定される際にピン２０によって任意の位置で貫通される。
【００１８】
第２端部１２は、図３に示すように、板状素材１０を円筒形状としたとき（図３の矢印Ｉ方向に第１端部１１及び第２端部１２を折り曲げて円筒形状とする）に、第１端部１１を受容可能なように形成されたＶ字部を有している。第１端部１１は、第２端部１２のＶ字部の谷間に当接した状態でピン２０によって第２端部１２に固定されることとなる。以下、詳しく説明する。
【００１９】
図４は図１の領域Ａを、図５は図３の領域Ｂを、それぞれ拡大して示している。図４に示すように、第２端部１２は、板状素材１０の第２端部１２の延長方向に向かって拡開したＶ字部を形成しており、第１辺部１２ａと第２辺部１２ｂを有している。第１辺部１２ａには第１ピン孔１３ａが、第２辺部１２ｂには第２ピン孔１３ｂが開口している。後述するように、ピン２０によって第１端部１１と第２端部１２を固定するとき、第１ピン孔１３ａと第２ピン孔１３ｂは、直線状に連通してピン孔１３となる。
【００２０】
このＶ字部は、図５に示すように、板状素材１０の周縁を、円筒形状としたときの内面側に向かって外三つ折りに折り返して形成されている。第１辺部１２ａは、板状素材１０と接着されており、第２辺部１２ｂとの間の折り目がＶ字部の谷間１２ｃとなる。なお、外三つ折りの形成にあたっては、折り曲げ加工など、公知の成形技術を適用することができる。
【００２１】
第１端部１１と第２端部１２は、次のようにして固定される。第１端部１１は、図６に示すように、第２端部１２のＶ字部の谷間１２ｃに向かってＸ方向に差し込まれ、谷間１２ｃに当接することによって、第１端部１１と第２端部１２が相対的に（すなわち、互いに対して）位置決めされる。そして、その状態で、ピン２０は、第２端部１２の第１ピン孔１３ａ、第１端部１１、第２端部１２の第２ピン孔１３ｂの順に差し込まれる。前述したように、第１端部１１にはピン孔は設けられておらず、ピン２０の脚部２０ｂによって穿刺される。
【００２２】
ここで、第１ピン孔１３ａと第２ピン孔１３ｂの径は、ピン２０の脚部２０ｂの径に対して余裕をもって形成されている。図６では、ピン２０の脚部２０ｂは、第１ピン孔１３ａと第２ピン孔１３ｂの中央よりも板状素材１０の奥側（図中右側）寄りに差し込まれている（差込線Ｙ１参照）。これに対し、図７では、ピン２０の脚部２０ｂは、第１ピン孔１３ａと第２ピン孔１３ｂの中央よりも板状素材１０の先端側（図中左側）寄りに差し込まれている（差込線Ｙ２参照）。
【００２３】
これにより、本実施形態に係る保護カバー１は、一度ピン２０によって固定されたとしても、ピン２０を外して別の外装工事に再利用することも可能となる。すなわち、第１ピン孔１３ａと第２ピン孔１３ｂの径の範囲内であれば、一度穿刺された位置からずらした新たな位置でピン２０の脚部２０ｂで第１端部１１を穿刺することができ、再利用した場合であっても、第１端部１１を強固に固定することができる。ここで、ピン２０の頭部２０ａの径は、脚部２０ｂをどの位置に差し込んでも、第１ピン孔１３ａを覆うように設定されているので、雨水の侵入などを防ぐとともに、再利用の場合であっても取付作業後の仕上がり（見栄え）が悪くなることはない。
【００２４】
（取付けの手順）
以上の構成を踏まえ、図８及び図９を参照して、配管Ｐに巻き付けられた保温材又は保冷材Ｍを保護カバー１で被覆する手順を説明する。
【００２５】
まず、図８（ａ）及び図８（ｂ）に示すように、保温材又は保冷材Ｍに保護カバー１を被せる。保護カバー１は、合成樹脂製のものが作業性、化粧性などから好適に用いられるが、合成樹脂製のものは、半円筒状に緩やかに曲げ加工されている。この曲げに沿って保護カバー１を保温材又は保冷材Ｍに被せ、第１端部１１を第２端部１２に向かって矢印Ｘ方向に付勢する。なお、保護カバー１は、半円筒状に曲げ加工されていないものであってもよい。
【００２６】
そして、図９（ａ）及び図９（ｂ）に示すように、第１端部１１の先端をその長手方向に沿って第２端部１２の谷間１２ｃに当接させる。そして、第１ピン孔１３ａからピン２０を挿通させ、ピン２０の脚部２０ｂが第１端部１１を穿刺することによって、固定する。図１０は、図９（ｂ）の固定されている部分を拡大して示している（９０度右回転）。図１０に示すように、固定された状態では、第１端部１１は、第２端部１２のＶ字部すなわち第１辺部１２ａと第２辺部１２ｂの間に隙間なく挟まれ、また、第２端部１２の第２辺部１２ｂは、保温材又は保冷材Ｍに密着することから、Ｖ字部は潰れた状態となる。これにより、第１端部１１と第２端部１２の固定部分は、実質的に密封される。なお、ここで、「実質的に密封」とは、図１０に示すように、第１端部１１と第２端部１２の固定部分が隙間のないように固定される態様を指している。「第１端部１１と第２端部１２が全体にわたって密封されている」、「保護カバー１と保温材・保冷材Ｍの間が全体にわたって密封されている」などを意味するものではない。
【００２７】
（変形例）
以上説明した実施形態は、種々の観点から変形を行うことが可能であるが、ここでは、以下の観点からの変形例について、説明する。
【００２８】
まず、図１１及び図１２を参照して、第２端部１２のＶ字部の形成にあたっての変形例について説明する。前述した実施形態では、板状素材１０の周縁を外三つ折りに折り返すことによってＶ字部を形成したが、板状素材１０の周縁近傍に、円筒形状としたときの内面側に向かって突出する突出部を取り付けることによって形成してもよい。
【００２９】
図１１は、Ｖ字状に折り曲げ加工した突出部を板状素材１０の周縁近傍に接着したものである。実施形態で外三つ折りしたときと同じように、板状素材１０に接着した部位を第１辺部１２ａ、反対側を第２辺部１２ｂとし、第１辺部１２ａと第２辺部１２ｂの間の折り目を谷間１２ｃとする。この変形例においても、板状素材１０の周縁と突出部である第１辺部１２ａに第１ピン孔１３ａを、突出部である第２辺部１２ｂに第２ピン孔１３ｂを設ける。
【００３０】
図１２は、くの字状に折り曲げ加工した突出部を板状素材１０の周縁近傍に接着したものである。この変形例では、くの字の基端部を板状素材１０に接着させたうえで、板状素材１０の周縁を第１辺部１２ａとみなし、くの字の先端部を第２辺部１２ｂとする。そして、板状素材１０の周縁である第１辺部１２ａと突出部である第２辺部１２ｂの間の境目を谷間１２ｃとする。この変形例においても、板状素材１０の周縁である第１辺部１２ａに第１ピン孔１３ａを、突出部である第２辺部１２ｂに第２ピン孔１３ｂを設ける。なお、第２端部１２のＶ字部は、これらのほかにも、板状素材１０の周縁に層状に切れ込みを入れることによって形成されてもよい。
【００３１】
次に、図１３〜図１５を参照して、仮止めに係る変形例について説明する。前述した実施形態では、保護カバー１は、第１端部１１を第２端部１２のＶ字部の谷間１２ｃに当接させて位置決めを行ってからピン２０で固定されるが、ピン２０で固定する前に作業者が手を離すような場合に第１端部１１と第２端部１２が離間してしまうことがある。そのため、ピン２０で固定が完了するまで、保護カバー１に仮止めの態様を付加しておけば、作業上、有利となる。
【００３２】
例えば、紐で保護カバー１の全体を巻いたり、テープで第１端部１１と第２端部１２を部分的に貼着することによって、第１端部１１の先端が第２端部１２のＶ字部の谷間１２ｃに当接している状態を維持することが好ましい。さらに、保護カバー１そのものに以下に述べるような仮止めの態様を付加するようにしてもよい。
【００３３】
図１３は、仮止めを施した１つの変形例を示す。この変形例は、第１端部１１に突起部１１ａを設けるとともに、突起部１１ａに対応する第２端部１２の位置にスリット１２ｄを設けるものである。スリット１２ｄを第２端部１２の谷間１２ｃに設けておくことにより、突起部１１ａをスリット１２ｄに差し込むと、第１端部１１が第２端部１２の谷間１２ｃに当接して位置決めができるとともに、差し込まれた突起部１１ａがスリット１２ｄの開口周縁との間で摩擦によって仮止めされる。円筒形状になされることで、突起部１１ａはスリット１２ｄから抜け落ちにくくなる。
【００３４】
図１４は、スリット１２ｄからさらに抜け落ちにくくするため、突起部１１ａを鈎状突起部１１ｂに形成したものである。差し込まれた鈎状突起部１１ｂがスリット１２ｄの開口周縁との間で係合によって仮止めされる。
【００３５】
図１５は、第１端部１１の内側にめくり突起部１１ｃを設けるとともに、めくり突起部１１ｃに対応する第２端部１２の位置に開口１２ｅを設けるものである。ここで、めくり突起部１１ｃとは、図１５に示すように、例えば三角形に構成して、先端の２辺を板状素材１０から切り離して底辺において折り曲げるものである。開口１２ｅを第２端部１２の第２辺部１２ｂに設けておくことにより、第１端部１１が第２端部１２の谷間１２ｃに当接して位置決めされた状態で、折り曲げられためくり突起部１１ｃが開口１２ｅに差し込まれことにより、仮止めされる。なお、逆に、第２端部１２の第１辺部１２ａ又は第２辺部１２ｂにめくり突起部１１ｃを設け、第１端部１１に開口１２ｅを設けるようにしてもよい。
【００３６】
（実施形態の効果）
以上のような構成としたことから、保護カバー１は、以下のような効果を奏する。本実施形態に係る保護カバー１は、第１端部１１と、Ｖ字部を有する第２端部１２を備えることから、簡単な構造でズレのない円筒形状を形成することができる。また、第２端部１２のＶ字部に設けられたピン孔１３にピン２０を挿通させて第１端部１１と固定することから、ピン２０の着脱によって再利用が可能な保護カバーを提供することができる。さらに、変形例のように、ピン２０による固定（本止め）に先立って仮止めできるような態様を付加することによって、手を離しても第１端部１１と第２端部１２の当接を維持することができる。
【００３７】
以上、実施形態について説明したが、本発明は、具体的な実施形態に限定されるものではなく、種々の変更を行ったものも含まれるものであり、そのことは、当業者にとって特許請求の範囲の記載から明らかである。
【符号の説明】
【００３８】
１…保護カバー
１０…板状素材
１１…第１端部
１１ａ…突起部
１１ｂ…鈎状突起部
１１ｃ…めくり突起部
１２…第２端部
１２ａ…第１辺部
１２ｂ…第２辺部
１２ｃ…谷間
１２ｄ…スリット
１２ｅ…開口部
１３…ピン孔
１３ａ…第１ピン孔
１３ｂ…第２ピン孔
２０…ピン
２０ａ…頭部（ピンの）
２０ｂ…脚部（ピンの）
Ｐ…配管
Ｍ…保温材又は保冷材
【図１】
0003216839.tif 000003
【図２】
0003216839.tif 000004
【図３】
0003216839.tif 000005
【図４】
0003216839.tif 000006
【図５】
0003216839.tif 000007
【図６】
0003216839.tif 000008
【図７】
0003216839.tif 000009
【図８】
0003216839.tif 000010
【図９】
0003216839.tif 000011
【図１０】
0003216839.tif 000012
【図１１】
0003216839.tif 000013
【図１２】
0003216839.tif 000014
【図１３】
0003216839.tif 000015
【図１４】
0003216839.tif 000016
【図１５】
0003216839.tif 000017
【手続補正書】
【提出日】平成30年4月25日(2018.4.25)
【手続補正１】
【補正対象書類名】実用新案登録請求の範囲
【補正対象項目名】請求項５
【補正方法】変更
【補正の内容】
【請求項５】
前記第１端部と前記第２端部は、前記ピンによる固定の前に係止されるための仮止めを備えていることを特徴とする請求項１から４のいずれか１項に記載の保護カバー。
【手続補正２】
【補正対象書類名】明細書
【補正対象項目名】００１１
【補正方法】変更
【補正の内容】
【００１１】
（５）上記（１）から（４）のいずれか１つに記載の構成において、前記第１端部と前記第２端部は、前記ピンによる固定の前に係止されるための仮止めを備えている。